(57)【要約】      （修正有）【課題】不正な取引である蓋然性が高い取引を軽減することができる自動取引システムおよび自動取引装置を提供する。【解決手段】自動取引装置１の操作部で入力された受取人の金融機関名、支店名、口座番号等の受取人口座情報および監視の有無を監視サーバ４へ送信し、該監視サーバ４が該受取人口座情報と監視の有無を関連付けて監視データベース５に格納しておき、該受取人が現金支払い等の取引でカード等から読取った受取人口座情報を自動取引装置１が該監視サーバ４へ送信し、該監視サーバ４から該受取人口座情報に基づいて該監視データベース５を検索して抽出した監視の有無を受信した該自動取引装置１が該監視の有無が有のとき監視カメラ部２４で受取人を撮影した画像データを該監視サーバ４へ送信し、該監視サーバ４が受信した該画像データを該受取人口座情報と関連付けて該監視データベース５に格納するようにした。【選択図】        図１
2006338290.tif 000002
【特許請求の範囲】
【請求項１】
自動取引装置で入力された受取人の口座に現金を振り込む振込み取引や自動取引装置に挿入されたカード等から口座情報を読取って現金を支払う現金支払い取引等を行なう自動取引システムにおいて、
自動取引装置の操作部で入力された受取人の金融機関名、支店名、口座番号等の受取人口座情報および監視の有無を監視サーバへ送信し、該監視サーバが該受取人口座情報と監視の有無を関連付けて監視データベースに格納しておき、該受取人が現金支払い等の取引でカード等から読取った受取人口座情報を自動取引装置が該監視サーバへ送信し、該監視サーバから該受取人口座情報に基づいて該監視データベースを検索して抽出した監視の有無を受信した該自動取引装置が該監視の有無が有のとき監視カメラ部で受取人を撮影した画像データを該監視サーバへ送信し、該監視サーバが受信した該画像データを該受取人口座情報と関連付けて該監視データベースに格納するようにしたことを特徴とする自動取引システム。
【請求項２】
請求項１の自動取引システムにおいて、
自動取引装置の操作部で入力されたメールアドレスを監視サーバへ送信し、該監視サーバが該受取人口座情報と該メールアドレスを関連付けて監視データベースに格納しておき、自動取引装置から受信した該画像データを該メールアドレスへ送信するようにしたことを特徴とする自動取引システム。
【請求項３】
請求項２の自動取引システムにおいて、
該受取人が該画像データを送信することに同意する操作ボタンを自動取引装置で選択したとき、該画像データを該メールアドレスへ送信するようにしたことを特徴とする自動取引システム。
【請求項４】
自動取引装置で入力された受取人の口座に現金を振り込む振込み取引や自動取引装置に挿入されたカード等から口座情報を読取って現金を支払う現金支払い取引等を行なう自動取引システムにおいて、
自動取引装置の操作部で入力された受取人の金融機関名、支店名、口座番号等の受取人口座情報および監視の有無を監視サーバへ送信し、該監視サーバが該受取人口座情報と監視の有無を関連付けて監視データベースに格納しておき、該受取人が現金支払い等の取引でカード等から読取った受取人口座情報を自動取引装置が該監視サーバへ送信し、該監視サーバから該受取人口座情報に基づいて監視データベースを検索して抽出した監視の有無を自動取引装置が受信し、該自動取引装置が該監視の有無が有のとき自動取引装置に該受取人を窓口へ誘導する画面を表示するようにしたことを特徴とする自動取引システム。
【請求項５】
請求項４の自動取引システムにおいて、
該受取人が現金振込以前の口座残高を超える金額の支払い取引を行なうとき自動取引装置に該受取人を窓口へ誘導する画面を表示するようにしたことを特徴とする自動取引システム。
【請求項６】
利用者の操作により入力された受取人の口座に現金を振り込む振込み取引や挿入されたカード等から口座情報を読取って現金を支払う現金支払い取引等を行なう自動取引装置において、
受取人の金融機関名、支店名、口座番号等の受取人口座情報および該受取人が行う取引を監視することを指示する監視の有無を操作部で入力させ、該受取人口座情報とともに監視の有無情報を上位装置へ送信するようにしたことを特徴とする自動取引装置。
【請求項７】
利用者の操作により入力された受取人の口座に現金を振り込む振込み取引や挿入されたカード等から口座情報を読取って現金を支払う現金支払い取引等を行なう自動取引装置において、
上位装置から受取人が行う取引を監視することを指示する監視の有無情報を受信し、該監視の有無情報が有のとき、監視カメラ部で受取人を撮影した画像データを取得するようにしたことを特徴とする自動取引装置。
【請求項８】
利用者の操作により入力された受取人の口座に現金を振り込む振込み取引や挿入されたカード等から口座情報を読取って現金を支払う現金支払い取引等を行なう自動取引装置において、
上位装置から受取人が行う取引を監視することを指示する監視の有無情報を受信し、該監視の有無情報が有のとき、該受取人を窓口へ誘導する画面を表示するようにしたことを特徴とする自動取引装置。
【請求項９】
請求項８の自動取引装置において、
該受取人が現金振込以前の口座残高を超える金額の支払い取引を行なうとき該受取人を窓口へ誘導する画面を表示するようにしたことを特徴とする自動取引装置。
【発明の詳細な説明】
【技術分野】
【０００１】
本発明は、銀行等の金融機関やコンビニエンスストア等に設置された自動取引装置および自動取引システムに関し、特に利用者が行う取引を監視する自動取引装置および自動取引システムに関する。
【背景技術】
【０００２】
従来の自動取引装置および自動取引システムは、振込先の金融機関名、支店名、口座番号および振込金額等の必要な情報を入力し、現金等を投入して振込取引を行なう。この手続が完了すると振込先の受取人はキャッシュカード等を使用して自己の口座から振り込まれた金額に相当する現金を自由に引き出すことができる。このように第三者から振り込まれた現金を容易に引き出すことができることを利用して、近年、利用者に不正な目的で指定した口座に現金を振り込ませる犯罪が急増し大きな社会問題となっている。
【０００３】
このような状況下で自動取引装置を利用した犯罪を早期に解決するため、監視カメラを設け利用者の映像を取得し、取引の内容と対応させて記録する自動取引装置がある。また、取引において暗証番号の訂正回数等の取引内容に応じて監視カメラの撮影回数を制御しているものもある（例えば、特許文献１参照）。
【特許文献１】特開２００１−３２５６４３号公報（段落「０００９」〜段落「００３２」、図３）
【発明の開示】
【発明が解決しようとする課題】
【０００４】
しかしながら、上述した従来の技術においては、自動取引装置で行われるすべての取引を監視カメラで撮影し取引内容とともに記録するとその記録した情報は膨大なものになり不正な取引が撮影された映像等を検索するには多大な時間と労力を必要とするという問題がある。
また、自動取引装置で振込取引を行なう利用者が不正な目的の振込みである蓋然性が高いことを知っていてもその情報を利用して早期にその不正を解決する有効な手段がなかったという問題がある。
【０００５】
本発明は、このような問題を解決することを課題とする。
【課題を解決するための手段】
【０００６】
そのため、本発明は、自動取引装置で入力された受取人の口座に現金を振り込む振込み取引や自動取引装置に挿入されたカード等から口座情報を読取って現金を支払う現金支払い取引等を行なう自動取引システムにおいて、自動取引装置の操作部で入力された受取人の金融機関名、支店名、口座番号等の受取人口座情報および監視の有無を監視サーバへ送信し、該監視サーバが該受取人口座情報と監視の有無を関連付けて監視データベースに格納しておき、該受取人が現金支払い等の取引でカード等から読取った受取人口座情報を自動取引装置が該監視サーバへ送信し、該監視サーバから該受取人口座情報に基づいて該監視データベースを検索して抽出した監視の有無を受信した該自動取引装置が該監視の有無が有のとき監視カメラ部で受取人を撮影した画像データを該監視サーバへ送信し、該監視サーバが受信した該画像データを該受取人口座情報と関連付けて該監視データベースに格納するようにしたことを特徴とする。
【発明の効果】
【０００７】
このようにした本発明は、振込取引を行なった利用者が不正な取引である蓋然性が高い取引を選択することができ、自動取引装置はその選択にしたがって不正な取引である蓋然性が高いその取引を行なう利用者を監視カメラで撮影し、その撮影した画像データを監視サーバに格納するため、不正な取引が行なわれた映像等を検索する時間と労力が軽減されるという効果が得られる。
【０００８】
また、自動取引装置で振込取引を行なう利用者が不正な目的の振込みである蓋然性が高いことを知っている情報を有効に利用することができるという効果が得られる。
【発明を実施するための最良の形態】
【０００９】
以下、図面を参照して本発明による自動取引装置および自動取引システムの実施例を説明する。
【実施例】
【００１０】
図１は第１の実施例における自動取引システムの構成を示すブロック図、図２は第１の実施例における自動取引装置の構成を示すブロック図、図３は第１の実施例における監視データベースの構成を示す説明図である。
まず、自動取引システムの構成を図１に基づいて説明する。
図１において、１は自動取引装置であり、銀行等の金融機関またはコンビニエンスストア等に設置されるものである。この自動取引装置１は利用者の操作により現金支払いや現金入金等の取引ができるものである。また、通信回線２に通信可能に接続されている。
【００１１】
３はホストコンピュータであり、銀行等の金融機関の事務センタ等に設置される。このホストコンピュータ３は自動取引装置１との間で現金支払い、現金入金、振込み等の取引電文の送受信を行い利用者の取引を成立させるか否かを判断する。また、利用者の口座番号と利用者の暗証番号等で本人であるか否かの本人認証も行なう。なお、ホストコンピュータ３は通信回線２を介して自動取引装置１と相互に通信可能に接続されている。
【００１２】
４は監視サーバであり、銀行等の金融機関の事務センタ等に設置される。この監視サーバ４は、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段、磁気ディスク、半導体メモリ等の記憶手段、キーボード、マウス等の入力手段、ＣＲＴ（Ｃａｔｈｏｄｅ  Ｒａｙ  Ｔｕｂｅ）、液晶ディスプレイ等の表示手段および通信手段等を備えるものであり、通信回線２を介して自動取引装置１と相互に通信可能に接続されている。
【００１３】
また、この監視サーバ４はデータベースを備え自動取引装置１等の他の装置からの要求を受信し、そのデータベースを検索して特定する情報を抽出し自動取引装置１等へ送信する機能を備えている。さらに、図示しない送受信装置を備え携帯端末等と相互に無線通信が可能になっている。
５は監視データベースであり、監視サーバ４に備えられたものである。この監視データベース５には利用者が自動取引装置１で振込取引を行なったときの各種情報が格納される。詳細は後述する。
【００１４】
次に、自動取引装置の構成を図２に基づいて説明する。
図２において、２１は利用者操作表示部であり、タッチパネル等の操作部および液晶ディスプレイ等の表示部で構成されたものである。この利用者操作表示部２１はＣＲＴディスプレイや液晶ディスプレイ等の表示部上にタッチパネルを配置し利用者が入力操作等を行なうものであり、また、取引選択画面、利用者が選択した取引に対して利用者の入力操作等の誘導を行なう画面および入力された情報等を表示するものである。
【００１５】
２２はカードリーダプリンタ部であり、カード読取り書込み機構および明細票印刷機構を備えたものである。このカードリーダプリンタ部２２は、利用者がカード挿入口に挿入したカードの磁気ストライプやＩＣチップ等から口座番号等の利用者情報を読取り、また、利用者がした取引の内容を明細票に印刷する。口座番号等を読取ったカードはカード排出口から排出して利用者に返却し、また、取引内容を印刷した明細票は明細票排出口から排出して利用者に渡す。
【００１６】
２３は入出金部であり、紙幣入出金機および硬貨入出金機で構成されたものである。この入出金部２３は現金支払い取引や現金入金取引に伴う紙幣や硬貨の入出金処理を行なう。ここで、入金処理とは利用者が紙幣入出金口に入れた紙幣を紙幣入出金機で計数して金庫に収納し、硬貨入出金口に入れた硬貨を硬貨入出金機で計数して金庫に収納することである。また、出金処理とは利用者の操作により指定した金額に相当する紙幣および硬貨をそれぞれ紙幣入出金機および硬貨入出金機の金庫から繰り出して計数し紙幣入出金口および硬貨入出金口に搬送して利用者に払い出すことである。
【００１７】
２４は監視カメラ部であり、自動取引装置１の前面に備えられ操作する利用者の上半身等の映像を取得するものである。この監視カメラ部２４は静止画や動画を撮影することができるデジタルカメラ等で構成されたものである。
２５は制御部であり、図示しない記憶部、通信部等で構成されている。この制御部２５は利用者操作表示部２１、カードリーダプリンタ部２２、入出金部２３および、視カメラ部２４を含めて自動取引装置１全体の動作を記憶部に格納されたソフトウェアに基づいて制御する。
【００１８】
なお、記憶部は、半導体メモリや磁気ディスク等で構成され情報を格納して記憶し、記憶した情報を読取ることができるものであり、また、通信部は通信回線２を介して接続されたホストコンピュータ３および監視サーバ４と相互にする通信を制御する手段であり、任意の情報を送信および受信することができる。さらに、日時や時刻等を計測する手段であるカレンダーおよび時計機能等も有している。
【００１９】
次に、監視データベースの構成を図３に基づいて説明する。
図３において、３１は受取人金融機関コードであり、利用者が自動取引装置１で振込取引を行なったとき、その振込先である受取人が所有する口座が開設された金融機関を識別する情報を格納するものである。
３２は受取人支店コードであり、利用者が自動取引装置１で振込取引を行なったとき、その振込先である受取人が所有する口座が開設された金融機関の支店を識別する情報を格納するものである。
【００２０】
３３は受取人口座番号であり、利用者が自動取引装置１で振込取引を行なったとき、その振込先である受取人が所有する口座を識別する情報を格納するものである。
３４は受取人氏名であり、利用者が自動取引装置１で振込取引を行なったとき、その振込先である受取人の氏名を格納するものである。
したがって、受取人金融機関コード３１、受取人支店コード３２、受取人口座番号３３および受取人氏名３４は受取人口座情報を構成するものである。
【００２１】
３５は振込人氏名であり、利用者が自動取引装置１で振込取引を行なったとき、その利用者の氏名を格納するものである。
３６は振込金額であり、利用者が自動取引装置１で振込取引を行なったとき、その振込取引で振り込む金額を格納するものである。
３７は取引日時であり、利用者が自動取引装置１で振込取引を行なったときの年月日時分秒等を格納するものである。
【００２２】
３８は監視有無であり、利用者が自動取引装置１で振込取引を行なったとき、振込先である受取人が自動取引装置１で現金の支払い取引を行なった場合に監視カメラ部２４で監視を行うか否かの情報を格納するものである。
この監視有無３８に「有」の情報が格納されている場合は受取人金融機関コード３１、受取人支店コード３２、受取人口座番号３３で特定された口座を所有する者が自動取引装置１で現金支払い等の取引を行なったとき監視カメラ部２４を作動して映像を取得する。
【００２３】
この監視有無３８に「無」の情報が格納されている場合は受取人金融機関コード３１、受取人支店コード３２、受取人口座番号３３で特定された口座を所有する者が自動取引装置１で現金支払い等の取引を行なったときであっても監視カメラ部２４を作動しない。
３９は画像データであり、監視有無３８が「有」のとき監視カメラ部２４で撮影した画像データを格納しておくものである。
【００２４】
上述した構成の作用について説明する。
なお、以下に説明する各部の動作は、図示しない記憶部に格納されたプログラム（ソフトウェア）に基づいて図示しない制御部により制御される。
まず、自動取引装置１で行なう振込取引について図４の第１の実施例における振込取引の動作を示すフローチャートのＳで表すステップにしたがって説明する。
【００２５】
Ｓ１ａ：図示しない近接センサで利用者の接近を検知すると利用者操作表示部２１は取引選択画面を表示する。この取引選択画面には「お振込み」、「現金支払い」、「入金」、「残高照会」等の取引ボタンが表示され、利用者は「お振込み」の取引ボタンを押下する。
Ｓ２ａ：利用者が「お振込み」の取引ボタンを押下すると利用者操作表示部２１は振込方法選択画面を表示する。この振込方法選択画面には「現金によるお振込み」および「カードによるお振込み」のボタンが表示される。本実施例では現金を自動取引装置１に投入して振込取引を行なう例で説明するので、利用者は「現金によるお振込み」のボタンを押下する。
【００２６】
利用者が「現金によるお振込み」のボタンを押下すると利用者操作表示部２１は振込先である受取人の金融機関名を選択する画面を表示する。利用者は該当する金融機関名を選択する。次に、利用者操作表示部２１は振込先である受取人の支店名を選択する画面を表示し、利用者は該当する支店名を選択する。利用者が支店名を選択すると利用者操作表示部２１は振込先である受取人の口座番号を入力する画面を表示する。利用者は表示された口座番号を入力する画面でボタンを押下して口座番号を入力する。
【００２７】
Ｓ３ａ：ここで、利用者が金融機関名、支店名および口座番号を入力すると自動取引装置１の制御部２５は入力された金融機関名を受取人金融機関コード、支店名を受取人支店コードに変換し、その受取人金融機関コードおよび受取人支店コードを口座番号とともにホストコンピュータ３へ送信する。ホストコンピュータ３は受信した受取人金融機関コード、受取人支店コードおよび口座番号に基づいて図示しないデータベース検索して受取人氏名を抽出する。この受取人氏名はホストコンピュータ３から自動取引装置１へ送信され、受信した自動取引装置１の利用者操作表示部２１はその受取人氏名を表示する。
【００２８】
利用者は表示された受取人氏名を確認して「確認」ボタンを押下すると利用者操作表示部２１は振込依頼者の氏名等を入力する画面を表示する。利用者はその画面でボタンを押下して自己の氏名等を入力する。
Ｓ４ａ：利用者が氏名等を入力すると利用者操作表示部２１は振込金額を入力する画面を表示する。利用者はその画面でボタンを押下して振込先へ振り込む金額を入力する。
【００２９】
Ｓ５ａ：利用者が振込金額を入力すると利用者操作表示部２１は図６に示す監視選択画面を表示する。この監視選択画面には「現在のお振込み取引の監視を行いますか？」、「監視を行うことで以下のサービスがご利用可能となります。」、「ＡＴＭで受取人の写真を撮影」等のメッセージおよび「監視を行う」、「監視を行わない」のボタンを表示する。なお、「ＡＴＭ」は自動取引装置１を示す。
【００３０】
Ｓ６ａ：利用者は表示されたメッセージを読み、監視を行うか否かを判断し、「監視を行う」、「監視を行わない」のいずれかのボタンを選択して押下する。
Ｓ７ａ：利用者が「監視を行う」、「監視を行わない」のいずれかのボタンを選択して押下して監視有無を入力すると制御部２５は既に変換した受取人金融機関コードならびに受取人支店コード、入力された受取人口座番号、ホストコンピュータ３から受信した受取人氏名、入力された振込人氏名ならびに振込金額、取引日時および入力された監視有無を監視サーバ４へ送信する。
【００３１】
監視サーバ４は受信した受取人金融機関コード、受取人支店コード、受取人口座番号、受取人氏名、振込人氏名、振込金額、取引日時および監視有無を監視データベース５の受取人金融機関コード３１、受取人支店コード３２、受取人口座番号３３、受取人氏名３４、振込人氏名３５、振込金額３６、取引日時３７および監視有無３８にそれぞれ格納する。
【００３２】
Ｓ８ａ：監視サーバ４が監視データベース５に上記情報を格納すると自動取引装置１の入出金部２３は振込金額に相当する現金の入金処理を行う。以降、通常の振込取引を行なう。
次に、自動取引装置で行なう支払い取引について図５の第１の実施例における支払い取引の動作を示すフローチャートのＳで表すステップにしたがって説明する。
【００３３】
Ｓ１ｂ：図示しない近接センサで利用者の接近を検知すると利用者操作表示部２１は取引選択画面を表示する。この取引選択画面には「現金支払い」、「入金」、「残高照会」等の取引ボタンが表示され、利用者は「現金支払い」の取引ボタンを押下する。
Ｓ２ｂ：利用者が取引選択画面の「現金支払い」ボタンを押下すると利用者操作表示部２１は「カードを入れてください」等の案内文言で構成されたカード挿入誘導画面を表示する。利用者は利用者操作表示部２１に表示されたカード挿入誘導画面にしたがってカードをカード挿入排出口に挿入する。
【００３４】
Ｓ３ｂ：利用者がカードをカード挿入排出口に挿入するとカードリーダプリンタ部２２はそのカードを引き込み磁気ストライプ等に記録された金融機関コード、支店コードおよび口座番号等を読取る。
カードリーダプリンタ部２２が挿入されたカードの磁気ストライプ等に記録された口座番号等を読取ると利用者操作表示部２１は暗証番号入力画面を表示する。この暗証番号入力画面には「１」から「９」および「０」ボタン等で構成されるテンキー等の操作ボタンを表示する。
【００３５】
利用者操作表示部２１が暗証番号入力画面を表示すると利用者は表示されたテンキー等の操作ボタンを押下して暗証番号を入力する。
Ｓ４ｂ：利用者が暗証番号を入力すると制御部２５は読取った口座番号等とともに入力された暗証番号をホストコンピュータ３へ送信して利用者が本人であることを確認する本人認証を行なう。
【００３６】
Ｓ５ｂ：本人認証の結果、利用者が本人であることが確認できると制御部２５はカードの磁気ストライプから読取った金融機関コード、支店コードおよび口座番号を監視サーバ４へ送信する。
Ｓ６ｂ：監視サーバ４は受信した金融機関コード、支店コードおよび口座番号に基づいて監視データベース５を検索して監視有無３８を抽出して自動取引装置１へ送信する。
【００３７】
Ｓ７ｂ：自動取引装置１の制御部２５は監視サーバ４から受信した監視有無３８が「有」であるか「無」であるかを判断する。
Ｓ８ｂ：その結果、「有」であると判断すると制御部２５は監視カメラ部２４へ撮影開始を指令する。その指令を受けた監視カメラ部２４は利用者の撮影を開始する。
Ｓ９ｂ：監視カメラ部２４が利用者の撮影を開始すると利用者操作表示部２１は支払い金額の入力を誘導する支払い金額入力画面を表示する。この支払い金額入力画面には「１」から「９」および「０」ボタン等で構成されるテンキーおよび「確認」ボタン等の操作ボタンを表示する。利用者操作表示部２１が支払い金額の入力を誘導する支払い金額入力画面を表示すると、利用者はテンキー等の操作ボタンを押下して希望する支払い金額を入力する。
【００３８】
Ｓ１０ｂ：利用者が支払い金額を入力すると制御部２５はカードリーダプリンタ部２２がカードから読取った口座番号等および支払い金額をホストコンピュータ３へ送信する。ホストコンピュータ３は利用者の口座残高を確認して受信した支払い金額の現金を払い出すことができるか否かを判断して、その結果を自動取引装置１へ送信する。現金の払出しができると判断されると自動取引装置１の入出金部２３は支払い金額に相当する現金を計数し出金処理を行う。
【００３９】
Ｓ１１ｂ：入出金部２３は現金を放出し、カードリーダプリンタ部２２はカードを返却する。
Ｓ１２ｂ：利用者が放出された現金と返却されたカードを受取ると監視カメラ部２４は撮影を停止する。
Ｓ１３ｂ：監視カメラ部２４は撮影を停止すると制御部２５は撮影した画像データをカードから読取った金融機関コード、支店コードおよび口座番号とともに監視サーバ４へ送信する。
【００４０】
Ｓ１４ｂ：監視サーバ４は自動取引装置１から受信した画像データを受信した金融機関コード、支店コードおよび口座番号に対応する監視データベース５の画像データ３９に格納して支払い取引は終了する。
Ｓ１５ｂ：一方、Ｓ７ｂで「無」であると判断すると利用者操作表示部２１は支払い金額の入力を誘導する支払い金額入力画面を表示する。この支払い金額入力画面には「１」から「９」および「０」ボタン等で構成されるテンキーおよび「確認」ボタン等の操作ボタンを表示する。利用者操作表示部２１が支払い金額の入力を誘導する支払い金額入力画面を表示すると、利用者はテンキー等の操作ボタンを押下して希望する支払い金額を入力する。
【００４１】
Ｓ１６ｂ：利用者が支払い金額を入力すると制御部２５はカードリーダプリンタ部２２がカードから読取った口座番号等および支払い金額をホストコンピュータ３へ送信する。ホストコンピュータ３は利用者の口座残高を確認して受信した支払い金額の現金を払い出すことができるか否かを判断して、その結果を自動取引装置１へ送信する。現金の払出しができると判断されると自動取引装置１の入出金部２３は支払い金額に相当する現金の出金処理を行う。
【００４２】
Ｓ１７ｂ：入出金部２３は現金を放出し、カードリーダプリンタ部２２はカードを返却し、利用者がそれを受取り支払い取引は終了する。
なお、監視データベース５に格納した画像データ３９とともに支払い取引が行なわれた金融機関、支店、自動取引装置番号、日付、時間等の情報も合わせて格納するようにしてもよい。
【００４３】
以上説明したように、第１の実施例では、振込取引を行なった利用者が不正な取引である蓋然性が高い取引を選択することができ、自動取引装置はその選択にしたがって不正な取引である蓋然性が高いその取引を行なう利用者を監視カメラで撮影し、その撮影した画像データを監視サーバに格納するため、不正な取引が行なわれた映像等を検索する時間と労力が軽減されるという効果が得られる。
【００４４】
また、自動取引装置で振込取引を行なう利用者が不正な目的の振込みである蓋然性が高いことを知っている情報を有効に利用することができるという効果が得られる。
次に、本発明の第２の実施例を説明する。
第２の実施例における自動取引システムの構成および自動取引装置の構成は上述した第１の実施例と同様なので同一の符号を付してその説明を省略する。
【００４５】
図７は第２の実施例における監視データベースの構成を示す説明図である。
４０はメールアドレスであり、受取人金融機関コード３１、受取人支店コード３２および受取人口座番号３３に対応する口座からの支払い取引があったとき画像データ３９を送信する送信先を格納するものである。このメールアドレス４０は利用者が携帯する携帯端末やパーソナルコンピュータで受信することができる電子メールアドレス等を格納するものである。
【００４６】
４１は端末であり、画像データ３９の送信先が携帯電話等の携帯端末やパーソナルコンピュータ等の端末の種別を格納するものである。この端末４１で示す端末の表示画面の大きさ等に合わせて監視サーバ４は画像データ３９を変換する。
なお、受取人金融機関コード３１、受取人支店コード３２、受取人口座番号３３、受取人氏名３４、振込人氏名３５、振込金額３６、取引日時３７、監視有無３８および画像データ３９は第１の実施例と同様なのでその説明を省略する。
【００４７】
上述した構成の作用について説明する。
なお、以下に説明する各部の動作は、図示しない記憶部に格納されたプログラム（ソフトウェア）に基づいて図示しない制御部により制御される。
まず、自動取引装置で行なう振込取引について図８の第２の実施例における振込取引の動作を示すフローチャートのＳで表すステップにしたがって説明する。
【００４８】
Ｓ１ｄ：図示しない近接センサで利用者の接近を検知すると利用者操作表示部２１は取引選択画面を表示する。この取引選択画面には「お振込み」、「現金支払い」、「入金」、「残高照会」等の取引ボタンが表示され、利用者は「お振込み」の取引ボタンを押下する。
Ｓ２ｄ：利用者が「お振込み」の取引ボタンを押下すると利用者操作表示部２１は振込方法選択画面を表示する。この振込方法選択画面には「現金によるお振込み」および「カードによるお振込み」のボタンが表示される。本実施例では現金を自動取引装置１に投入して振込取引を行なう例で説明するので、利用者は「現金によるお振込み」のボタンを押下する。
【００４９】
利用者が「現金によるお振込み」ボタンを押下すると利用者操作表示部２１は振込先である受取人の金融機関名を選択する画面を表示する。利用者は該当する金融機関名を選択する。次に、利用者操作表示部２１は振込先である受取人の支店名を選択する画面を表示し、利用者は該当する支店名を選択する。利用者が支店名を選択すると利用者操作表示部２１は振込先である受取人の口座番号を入力する画面を表示する。利用者は表示された口座番号を入力する画面でボタンを押下して口座番号を入力する。
【００５０】
Ｓ３ｄ：ここで、利用者が金融機関名、支店名および口座番号を入力すると自動取引装置１の制御部２５は入力された金融機関名を受取人金融機関コード、支店名を受取人支店コードに変換し、その受取人金融機関コードおよび受取人支店コードを口座番号とともにホストコンピュータ３へ送信する。ホストコンピュータ３は受信した受取人金融機関コード、受取人支店コードおよび口座番号に基づいて図示しないデータベース検索して受取人氏名を抽出する。この受取人氏名はホストコンピュータ３から自動取引装置１へ送信され、受信した自動取引装置１の利用者操作表示部２１はその受取人氏名を表示する。
【００５１】
利用者は表示された受取人氏名を確認して「確認」ボタンを押下すると利用者操作表示部２１は振込依頼者の氏名等を入力する画面を表示する。利用者はその画面でボタンを押下して自己の氏名等を入力する。
Ｓ４ｄ：利用者が氏名等を入力すると利用者操作表示部２１は振込金額を入力する画面を表示する。利用者はその画面でボタンを押下して振込先へ振り込む金額を入力する。
【００５２】
Ｓ５ｄ：利用者が振込金額を入力すると利用者操作表示部２１は監視選択画面を表示する。この監視選択画面には「現在のお振込み取引の監視を行いますか？」、「監視を行うことで以下のサービスがご利用可能となります。」、「ＡＴＭで受取人の写真を撮影」等のメッセージおよび「監視を行う」、「監視を行わない」のボタンを表示する。
Ｓ６ｄ：利用者は表示されたメッセージを読み、監視を行うか否かを判断し、「監視を行う」、「監視を行わない」のいずれかのボタンを選択して押下する。
【００５３】
Ｓ７ｄ：利用者が「監視を行わない」のボタンを押下すると制御部２５は既に変換した受取人金融機関コードならびに受取人支店コード、入力された受取人口座番号、ホストコンピュータ３から受信した受取人氏名、入力された振込人氏名ならびに振込金額、取引日時および入力された監視有無を監視サーバ４へ送信する。
Ｓ８ｄ：一方、利用者が「監視を行う」のボタンを押下すると利用者操作表示部２１は図１０に示す第２の実施例におけるメール送信希望選択画面を表示する。このメール送信希望選択画面には「お客様の端末に写真を送信できます。送信を希望しますか？」等メッセージおよび「送信希望」、「送信不要」のボタンを表示する。
【００５４】
利用者が「送信希望」のボタンを押下するとさらに利用者操作表示部２１は図１１に示すメール送信端末選択画面を表示する。このメール送信端末選択画面には「送信先の端末を選択してください。」等のメッセージおよび「パソコン」、「携帯電話」等のボタンを表示する。利用者は希望するボタンを押下する。
さらに、利用者操作表示部２１は図１２に示すメールアドレス入力画面を表示し、利用者にメールアドレスを入力させる。
【００５５】
このようにして利用者は画像データをメール送信することを希望するか否かを選択し、また、送信先であるメールアドレスを入力する。
Ｓ９ｄ：利用者がメール送信の有無等を入力すると制御部２５は既に変換した受取人金融機関コードならびに受取人支店コード、入力された受取人口座番号、ホストコンピュータ３から受信した受取人氏名、入力された振込人氏名ならびに振込金額、取引日時、入力された監視有無、メール送信の有無、メールアドレスおよび端末種別を監視サーバ４へ送信する。
【００５６】
監視サーバ４は受信した受取人金融機関コード、受取人支店コード、受取人口座番号、受取人氏名、振込人氏名、振込金額、取引日時、監視有無、メール送信の有無、メールアドレスおよび端末種別を監視データベース５の受取人金融機関コード３１、受取人支店コード３２、受取人口座番号３３、受取人氏名３４、振込人氏名３５、振込金額３６、取引日時３７、監視有無３８、メールアドレス４０および端末４１にそれぞれ格納する。なお、メール送信が必要な場合、メールアドレス４０は入力された文字列が格納され、また、メール送信が不要な場合、メールアドレス４０は空白が格納される。
【００５７】
Ｓ１０ｄ：監視サーバ４が監視データベース５に上記情報を格納すると自動取引装置１の入出金部２３は振込金額に相当する現金の入金処理を行う。以降、通常の振込取引を行なう。
次に、自動取引装置で行なう支払い取引について図９の第２の実施例における支払い取引の動作を示すフローチャートのＳで表すステップにしたがって説明する。
【００５８】
Ｓ１ｅ：図示しない近接センサで利用者の接近を検知すると利用者操作表示部２１は取引選択画面を表示する。この取引選択画面には「現金支払い」、「入金」、「残高照会」等の取引ボタンが表示され、利用者は「現金支払い」の取引ボタンを押下する。
Ｓ２ｅ：利用者が取引選択画面の「現金支払い」ボタンを押下すると利用者操作表示部２１は「カードを入れてください」等の案内文言で構成されたカード挿入誘導画面を表示する。利用者は利用者操作表示部２１に表示されたカード挿入誘導画面にしたがってカードをカード挿入排出口に挿入する。
【００５９】
Ｓ３ｅ：利用者がカードをカード挿入排出口に挿入するとカードリーダプリンタ部２２はそのカードを引き込み磁気ストライプ等に記録された金融機関コード、支店コードおよび口座番号等を読取る。
カードリーダプリンタ部２２が挿入されたカードの磁気ストライプ等に記録された口座番号等を読取ると利用者操作表示部２１は暗証番号入力画面を表示する。この暗証番号入力画面には「１」から「９」および「０」ボタン等で構成されるテンキー等の操作ボタンを表示する。
【００６０】
利用者操作表示部２１が暗証番号入力画面を表示すると利用者は表示されたテンキー等の操作ボタンを押下して暗証番号を入力する。
Ｓ４ｅ：利用者が暗証番号を入力すると制御部２５は読取った口座番号等とともに入力された暗証番号をホストコンピュータ３へ送信して利用者が本人であることを確認する本人認証を行なう。
【００６１】
Ｓ５ｅ：本人認証の結果、利用者が本人であることが確認できると制御部２５はカードの磁気ストライプから読取った金融機関コード、支店コードおよび口座番号を監視サーバ４へ送信する。
Ｓ６ｅ：監視サーバ４は受信した金融機関コード、支店コードおよび口座番号に基づいて監視データベース５を検索して監視有無３８を抽出して自動取引装置１へ送信する。
【００６２】
Ｓ７ｅ：自動取引装置１の制御部２５は監視サーバ４から受信した監視有無３８が「有」であるか「無」であるかを判断する。
Ｓ８ｅ：その結果、「有」であると判断すると制御部２５は監視カメラ部２４へ撮影開始を指令する。その指令を受けた監視カメラ部２４は利用者の撮影を開始する。
ここで、制御部２５が監視カメラ部２４へ撮影開始を指令する前に利用者操作表示部２１は図１３に示す同意選択画面を表示するようにしてもよい。この同意選択画面には「○○○○様よりお振込みがありました。○○○○様より受取人がご本人様であることの確認依頼があります。本装置のカメラにて撮影した写真を○○○○様に電子メールにて送付しますが、同意されますか？  同意されない場合、お振込みされません。但し、その他のお取引はご利用いただけます。撮影に同意しますか？」等のメッセージと「同意する」、「同意しない」のボタンを表示する。
【００６３】
「同意する」のボタンが押下された場合、制御部２５は監視カメラ部２４へ撮影開始を指令する。その指令を受けた監視カメラ部２４は利用者の撮影を開始し、以降の支払い取引を続行する。
一方、「同意しない」のボタンが押下された場合、制御部２５は現金を支払うことなく本支払い取引を終了させ、さらに監視サーバ４へ振込まれた金額を振込人へ戻す指令を送信するようにしてもよい。監視サーバ４は監視データベース５に格納された振込人の口座へその金額を振込むことを依頼する電文をホストコンピュータ３へ送信して振込まれた金額を振込人へ戻す処理を行う。
【００６４】
なお、この場合、振込人が自動取引装置１で行なう振込取引において振込人の金融機関名、支店名、口座番号を入力し、振込人の金融機関コード、支店コード、口座番号を監視データベース５に予め格納しておくものとする。
Ｓ９ｅ：監視カメラ部２４が利用者の撮影を開始すると利用者操作表示部２１は支払い金額の入力を誘導する支払い金額入力画面を表示する。この支払い金額入力画面には「１」から「９」および「０」ボタン等で構成されるテンキーおよび「確認」ボタン等の操作ボタンを表示する。利用者操作表示部２１が支払い金額の入力を誘導する支払い金額入力画面を表示すると、利用者はテンキー等の操作ボタンを押下して希望する支払い金額を入力する。
【００６５】
Ｓ１０ｅ：利用者が支払い金額を入力すると制御部２５はカードリーダプリンタ部２２がカードから読取った口座番号等および支払い金額をホストコンピュータ３へ送信する。ホストコンピュータ３は利用者の口座残高を確認して受信した支払い金額の現金を払い出すことができるか否かを判断して、その結果を自動取引装置１へ送信する。現金の払出しができると判断されると自動取引装置１の入出金部２３は支払い金額に相当する現金を計数して出金処理を行う。
【００６６】
Ｓ１１ｅ：入出金部２３は現金を放出し、カードリーダプリンタ部２２はカードを返却する。
Ｓ１２ｅ：利用者が放出された現金と返却されたカードを受取ると監視カメラ部２４は撮影を停止する。
Ｓ１３ｅ：監視カメラ部２４は撮影を停止すると制御部２５は撮影した画像データを監視サーバ４へ送信する。
【００６７】
Ｓ１４ｅ：監視サーバ４は自動取引装置１から受信した画像データを受信した金融機関コード、支店コードおよび口座番号に対応する監視データベース５の画像データ３９に格納する。
Ｓ１５ｅ：画像データを監視データベース５の画像データ３９に格納すると監視サーバ４は利用者の金融機関コード、支店コードおよび口座番号に対応するメールアドレス４０を抽出し、メール送信の有無を判断する。このメールアドレス４０に文字列が格納されている場合「有」と判断し、空白が格納されている場合は「無」と判断する。
【００６８】
Ｓ１６ｅ：上記判断の結果、メール送信が「有」と判断した場合、監視サーバ４は画像データ３９をメールアドレス４０へ送信して終了する。
また、メール送信が「無」と判断した場合、監視サーバ４はメール送信せず終了する。
Ｓ１７ｅ：一方、Ｓ７ｂで「無」であると判断すると利用者操作表示部２１は支払い金額の入力を誘導する支払い金額入力画面を表示する。この支払い金額入力画面には「１」から「９」および「０」ボタン等で構成されるテンキーおよび「確認」ボタン等の操作ボタンを表示する。利用者操作表示部２１が支払い金額の入力を誘導する支払い金額入力画面を表示すると、利用者はテンキー等の操作ボタンを押下して希望する支払い金額を入力する。
【００６９】
Ｓ１８ｅ：利用者が支払い金額を入力すると制御部２５はカードリーダプリンタ部２２がカードから読取った口座番号等および支払い金額をホストコンピュータ３へ送信する。ホストコンピュータ３は利用者の口座残高を確認して受信した支払い金額の現金を払い出すことができるか否かを判断して、その結果を自動取引装置１へ送信する。現金の払出しができると判断されると自動取引装置１の入出金部２３は支払い金額に相当する現金の出金処理を行う。
【００７０】
Ｓ１９ｅ：入出金部２３は現金を放出し、カードリーダプリンタ部２２はカードを返却し、利用者がそれを受取り支払い取引は終了する。
なお、監視データベース５に格納した画像データ３９とともに支払い取引が行なわれた金融機関、支店、自動取引装置番号、日付、時間等の情報も合わせて格納するようにしてもよい。
【００７１】
また、本実施例では不正な取引を防止することを目的としたものであるが、振込人から受取人への近況報告等のために画像データを送信するように使用することもできる。このときメッセージ等も同時に送信できるようにしてもよい。
以上説明したように、第２の実施例では、第１の実施例の効果に加え、振込人が所持する端末へ支払い取引を行った受取人の写真がメール送信されるため、その振込人は不正な現金の受取りが発生したか否かを確認することができるという効果が得られる。
【００７２】
また、受取人に監視カメラで撮影した写真を振込人が所持する端末へメール送信することの同意を得るため、不正な支払い取引を抑止することができるという効果が得られる。
次に、本発明の第３の実施例を説明する。
第３の実施例における自動取引システムの構成および監視データベースの構成は上述した第１の実施例と同様なので同一の符号を付してその説明を省略する。
【００７３】
図１４は第３の実施例における自動取引装置の構成を示すブロック図である。
図１４において、自動取引装置の構成は利用者操作表示部２１、カードリーダプリンタ部２２、入出金部２３および制御部２５で構成されたものである。したがって、第１の実施例の自動取引装置の構成から監視カメラ部２４を除いた構成である。
第３の実施例の構成の作用について説明する。
【００７４】
第３の実施例における振込取引の動作は図４の第１の実施例における振込取引の動作を示すフローチャートと同様であるが、Ｓ５ａにおいて利用者操作表示部２１が表示する図１６に示す監視選択画面のみが異なるものである。
この監視選択画面には「現在のお振込み取引の監視を行いますか？」、「監視を行うことで以下のサービスがご利用可能となります。」、「受取人が窓口でお取引を行うよう、ご案内します。」等のメッセージおよび「監視を行う」、「監視を行わない」のボタンを表示する。
【００７５】
また、Ｓ５ａにおいて利用者操作表示部２１が表示する図１８に示す監視選択画面を表示するようにしてもよい。
この監視選択画面には「現在のお振込み取引の監視を行いますか？」、「監視を行うことで以下のサービスがご利用可能となります。」、「受取人が窓口でお取引を行うよう、ご案内します。」、「受取人はＡＴＭで振込金以外の取引は可能です。」等のメッセージおよび「監視を行う」、「監視を行わない」のボタンを表示するようにしてもよい。
【００７６】
このようにして受取人が自動取引装置１で行う振込金以外の取引を可能にしてもよい。
それ以外の動作は第１の実施例と同様なのでその説明を省略する。
第３の実施例における支払い取引の動作を図１５の第３の実施例における支払い取引の動作を示すフローチャートのＳで表すステップにしたがって説明する。
Ｓ１ｃ：図示しない近接センサで利用者の接近を検知すると利用者操作表示部２１は取引選択画面を表示する。この取引選択画面には「現金支払い」、「入金」、「残高照会」等の取引ボタンが表示され、利用者は「現金支払い」の取引ボタンを押下する。
【００７７】
Ｓ２ｃ：利用者が取引選択画面の「現金支払い」ボタンを押下すると利用者操作表示部２１は「カードを入れてください」等の案内文言で構成されたカード挿入誘導画面を表示する。利用者は利用者操作表示部２１に表示されたカード挿入誘導画面にしたがってカードをカード挿入排出口に挿入する。
Ｓ３ｃ：利用者がカードをカード挿入排出口に挿入するとカードリーダプリンタ部２２はそのカードを引き込み磁気ストライプ等に記録された金融機関コード、支店コードおよび口座番号等を読取る。
【００７８】
カードリーダプリンタ部２２が挿入されたカードの磁気ストライプ等に記録された口座番号等を読取ると利用者操作表示部２１は暗証番号入力画面を表示する。この暗証番号入力画面には「１」から「９」および「０」ボタン等で構成されるテンキー等の操作ボタンを表示する。
利用者操作表示部２１が暗証番号入力画面を表示すると利用者は表示されたテンキー等の操作ボタンを押下して暗証番号を入力する。
【００７９】
Ｓ４ｃ：利用者が暗証番号を入力すると制御部２５は読取った口座番号等とともに入力された暗証番号をホストコンピュータ３へ送信して利用者が本人であることを確認する本人認証を行なう。
Ｓ５ｃ：本人認証の結果、利用者が本人であることが確認できると制御部２５はカードの磁気ストライプから読取った金融機関コード、支店コードおよび口座番号を監視サーバ４へ送信する。
【００８０】
Ｓ６ｃ：監視サーバ４は受信した金融機関コード、支店コードおよび口座番号に基づいて監視データベース５を検索して監視有無３８を抽出して自動取引装置１へ送信する。
Ｓ７ｃ：自動取引装置１の制御部２５は監視サーバ４から受信した監視有無３８が「有」であるか「無」であるかを判断する。
Ｓ８ｃ：その結果、「有」であると判断すると利用者操作表示部２１は図１７に示す窓口へ誘導する画面を表示する。この窓口へ誘導する画面には、「現金が振り込まれています。現在、お取引は窓口でのお取り扱いになります。窓口までお越し願います。」等のメッセージを表示する。
【００８１】
ここで、受取人が自動取引装置１で行う振込金以外の取引を可能にした場合、利用者操作表示部２１は図１９に示す窓口へ誘導する画面を表示する。この窓口へ誘導する画面には、「現金が振り込まれています。振り込まれた現金は窓口でのお取り扱いになります。窓口までお越し願います。なお、振り込まれる前までの残高まではお取引可能です。振り込まれる前の残高  ￥１２３、４５６」等のメッセージを表示する。
【００８２】
そして、受取人である利用者は振り込まれる前の残高までの支払い取引を行なうことができるようにする。
Ｓ９ｃ：窓口へ誘導する画面を表示するとカードリーダプリンタ部２２はカードを返却して支払い取引を終了する。
Ｓ１０ｃ：一方、Ｓ７ｃで「無」であると判断すると利用者操作表示部２１は支払い金額の入力を誘導する支払い金額入力画面を表示する。この支払い金額入力画面には「１」から「９」および「０」ボタン等で構成されるテンキーおよび「確認」ボタン等の操作ボタンを表示する。利用者操作表示部２１が支払い金額の入力を誘導する支払い金額入力画面を表示すると、利用者はテンキー等の操作ボタンを押下して希望する支払い金額を入力する。
【００８３】
Ｓ１１ｃ：利用者が支払い金額を入力すると制御部２５はカードリーダプリンタ部２２がカードから読取った口座番号等および支払い金額をホストコンピュータ３へ送信する。ホストコンピュータ３は利用者の口座残高を確認して受信した支払い金額の現金を払い出すことができるか否かを判断して、その結果を自動取引装置１へ送信する。現金の払出しができると判断されると自動取引装置１の入出金部２３は支払い金額に相当する現金を計数し出金処理を行う。
【００８４】
Ｓ１２ｃ：入出金部２３は現金を放出し、カードリーダプリンタ部２２はカードを返却し、利用者がそれを受取り支払い取引は終了する。
なお、本実施例では監視カメラ部を備えていない自動取引装置１で説明したが、監視カメラ部を備えた自動取引装置１であってもよい。
監視カメラ部を備えた自動取引装置１で受取人が支払い取引を行なった場合、第１の実施例と同様に、その監視カメラ部で受取人を撮影してその画像データを監視サーバ４の監視データベース５の画像データ３９に格納するようにしてもよい。
【００８５】
また、通信回線２に監視カメラ部を備えた自動取引装置１と監視カメラ部を備えていない自動取引装置１が混在して接続されている場合、監視カメラ部を備えた自動取引装置１は第１の実施例および第２の実施例のように動作させ、監視カメラ部を備えていない自動取引装置１は第３の実施例のように動作させるようにしてもよい。
以上説明したように、第３の実施例では、振込取引を行なった利用者が不正な取引であることの蓋然性が高い取引を行なう利用者を営業店内のビデオカメラ等や係員で監視された窓口へ誘導するため、不正な取引を行なう利用者が現金を受取り難くすることができるという効果が得られる。
【００８６】
また、自動取引装置で振込取引を行なう利用者が不正な目的の振込みである蓋然性が高いことを知っている情報を有効に利用することができるという効果が得られる。
【図面の簡単な説明】
【００８７】
【図１】第１の実施例における自動取引システムの構成を示すブロック図
【図２】第１の実施例における自動取引装置の構成を示すブロック図
【図３】第１の実施例における監視データベースの構成を示す説明図
【図４】第１の実施例における振込取引の動作を示すフローチャート
【図５】第１の実施例における支払い取引の動作を示すフローチャート
【図６】第１の実施例における監視選択画面を示す説明図
【図７】第２の実施例における監視データベースの構成を示す説明図
【図８】第２の実施例における振込取引の動作を示すフローチャート
【図９】第２の実施例における支払い取引の動作を示すフローチャート
【図１０】第２の実施例におけるメール送信希望選択画面を示す説明図
【図１１】第２の実施例におけるメール送信端末選択画面を示す説明図
【図１２】第２の実施例におけるメールアドレス入力画面を示す説明図
【図１３】第２の実施例における同意選択画面を示す説明図
【図１４】第３の実施例における自動取引装置の構成を示すブロック図
【図１５】第３の実施例における支払い取引の動作を示すフローチャート
【図１６】第３の実施例における監視選択画面を示す説明図
【図１７】第３の実施例における窓口へ誘導する画面を示す説明図
【図１８】第３の実施例における監視選択画面を示す説明図
【図１９】第３の実施例における窓口へ誘導する画面を示す説明図
【符号の説明】
【００８８】
１    自動取引装置
２    通信回線
３    ホストコンピュータ
４    監視サーバ
５    監視データベース
２１  利用者操作表示部
２２  カードリーダプリンタ部
２３  入出金部
２４  監視カメラ部
２５  制御部
３１  受取人金融機関コード
３２  受取人支店コード
３３  受取人口座番号
３４  受取人氏名
３５  振込人氏名
３６  振込金額
３７  取引日時
３８  監視有無
３９  画像データ
４０  メールアドレス
４１  端末
【図１】
2006338290.tif 000003
【図２】
2006338290.tif 000004
【図３】
2006338290.tif 000005
【図４】
2006338290.tif 000006
【図５】
2006338290.tif 000007
【図６】
2006338290.tif 000008
【図７】
2006338290.tif 000009
【図８】
2006338290.tif 000010
【図９】
2006338290.tif 000011
【図１０】
2006338290.tif 000012
【図１１】
2006338290.tif 000013
【図１２】
2006338290.tif 000014
【図１３】
2006338290.tif 000015
【図１４】
2006338290.tif 000016
【図１５】
2006338290.tif 000017
【図１６】
2006338290.tif 000018
【図１７】
2006338290.tif 000019
【図１８】
2006338290.tif 000020
【図１９】
2006338290.tif 000021